(57)【要約】【課題】  突然の蜂の襲来に素早く対応して、作業者の身体を蜂から防護する。【解決手段】  内部に一端が開口され、他端が閉塞された装填室３が設けられるシリンダー２と、前記装填室３内に装填された防虫ネット６と、前記防虫ネット６を前記シリンダー２内に固定するロック手段２１と、前記ロック手段２１による前記防虫ネット６の固定状態を解除するロック解除手段３０と、前記ロック解除手段３０による前記防虫ネット６の固定状態の解除に追従して、前記防虫ネット６を前記装填室３の開口部から発射させる発射手段４０とを備えている。【選択図】        図３
2017195844.tif 000002
【特許請求の範囲】
【請求項１】
内部に一端が開口され、他端が閉塞された装填室が設けられるシリンダーと、
前記装填室内に装填された防虫ネットと、
前記防虫ネットを前記シリンダー内に固定するロック手段と、
前記ロック手段による前記防虫ネットの固定状態を解除するロック解除手段と、
前記ロック解除手段による前記防虫ネットの固定状態の解除に追従して、前記防虫ネットを前記装填室の開口部から発射させる発射手段とを備えていることを特徴とする防虫ネット装置。
【請求項２】
前記防虫ネットは、作業者の頭部から肩口付近までを覆う第１防護部と、作業者の肩口付近から足部までを覆う第２防護部とからなるネット本体と、前記第１防護部及び前記第２防護部を展開及び折り畳みが可能に支持する支持部材とからなり、前記第１防護部及び前記第２防護部が折り畳まれた状態で前記装填室内に装填されたことを特徴とする請求項１に記載の防虫ネット装置。
【請求項３】
前記支持部材は、中棒と、該中棒の先端に設けられる第１ろくろと、前記中棒の後端に設けられる第２ろくろと、前記中棒の前記第１ろくろと前記第２ろくろとの間にスライド可能に設けられる第３ろくろと、前記第１ろくろに開閉自在に設けられる複数本の親骨と、前記各親骨と前記第３ろくろとの間にそれぞれ架設される受け骨と、前記第２ろくろと前記第３ろくろとを連結するとともに、前記第３ろくろを介して前記受け骨を押し上げる移動ばねとを備え、前記親骨の外側に前記ネット本体の前記第１防護部が張り付けられていることを特徴とする請求項２に記載の防虫ネット装置。
【請求項４】
前記ロック手段は、前記第２ろくろに設けられるロック球と、前記シリンダーに設けられるとともに、前記ロック球を係合させるロック孔とを備え、前記ロック解除手段は、前記シリンダーに設けられるとともに、前記ロック球を前記ロック孔から押し出す操作釦を備えていることを特徴とする請求項３に記載の防虫ネット装置。
【請求項５】
前記発射手段は、前記第２ろくろと兼用のピストンと、前記装填室内の前記ピストンと前記シリンダーの閉塞部との間に介装されて、前記第２ろくろを前記装填室の開口部の方向に付勢するばねとからなることを特徴とする請求項３に記載の防虫ネット装置。
【発明の詳細な説明】
【技術分野】
【０００１】
本発明は、防虫ネット装置に関し、特に、蜂の襲来時に素早く対応して蜂から身を守ることが可能な防虫ネット装置に関する。
【背景技術】
【０００２】
従来、配電線路の点検巡視や配電線事故復旧等の作業を行う際に、雑草等が生い茂った山間部等の現場の場合には、作業者が雑草等をかき分けながら現場に向かうことになるため、雑草等に巣食っていた蜂に突然襲われる危険性がある。このため、各種の防虫ネット等を装備して、蜂の襲来に素早く対応して蜂から身を守る必要がある。
【０００３】
防虫ネットの一例が特許文献１〜３に記載されている。特許文献１に記載の防虫ネット（ヘルメット装着用の防虫ネット）は、ヘルメットの周縁部に着脱可能に取り付けられる環状の取付枠体と、取付枠体に垂下支持されるとともに、ヘルメットの装着時に作業者の肩口付近まで覆う略筒状のネット体と、取付枠体に回動自在に設けられるとともに、作業者の頭部とネット体との間に所定の空間を確保する拡開体とを備えたものである。
【０００４】
また、特許文献２に記載の防虫ネット（緊急避難防虫防止）は、帽子と、帽子の表面に被せられる縮めた状態の作動網部を有する網と、作動網部を縮めた状態に保持する作動網部収納紐と、左右に６個穴と前面に１個の穴を有する首輪と、一端が面ファスナーを介して作動網部収納紐に連結されるとともに、他端が首輪の左右の穴から首輪内を挿通して、首輪の前面の穴から引き出される６本の作動紐とを備えたものである。
【０００５】
また、特許文献３に記載の防虫ネット（防虫ネットを収納できる帽子）は、帽子に形成される開口を有する収納部と、開口を開閉させるファスナーと、収納部の内面に一端が連結され、ファスナーを開くことにより開口から引き出されて垂下される防虫ネットとを備えたものである。
【０００６】
特許文献１に記載の防虫ネットは、常時、ネット体で作業者の頭部を覆った状態としておくことにより、突然の蜂の襲来に備えることになるため、雑草等が生い茂った山間部等を目的地まで進む場合に、作業者の身体への負担が増加する。
【０００７】
また、特許文献２に記載の防虫ネットは、蜂の襲来時に作動紐を引いて、縮んだ状態の作動網部の保持状態を解除して、ヘルメットから網を垂下させることにより頭部を覆うことになるため、特許文献１に記載の防虫ネットのように、常時、網で頭部を覆った状態とする必要はないが、網をヘルメットの表面に被せた状態とするとともに、作動紐を備えた首輪を首にかけておく必要があるため、作業者の身体への負担が増加することには変わりない。
【０００８】
また、特許文献３に記載の防虫ネットは、帽子の収納部に防虫ネットを収納しておき、蜂の襲来時にファスナーを開いて、収納部から防虫ネットを引き出して垂下させればよいので、特許文献１、２に記載の防虫ネットのように、山間部等を目的地まで進む場合に、作業者の身体への負担が増加するようなことはないが、蜂の襲来時に収納部のファスナーを開いて防虫ネットを引き出す作業や、引き出した防虫ネットの端部間をファスナーで閉じる作業が必要になるため、突然の蜂の襲来に間に合わない危険性がある。
【先行技術文献】
【特許文献】
【０００９】
【特許文献１】特開２００８−１９００８８号公報
【特許文献２】特開２００２−２２３６５８号公報
【特許文献３】特開２０１５−１４０６１号公報
【発明の概要】
【発明が解決しようとする課題】
【００１０】
本発明は、上記のような従来の問題に鑑みなされたものであって、作業者の身体への負担を増加させることなく、蜂の襲来時に素早く対応して蜂から身を守ることが可能な防虫ネット装置を提供することを目的とする。
【課題を解決するための手段】
【００１１】
上記のような課題を解決するために、本発明は、以下のような手段を採用している。
すなわち、本発明は、内部に一端が開口され、他端が閉塞された装填室が設けられるシリンダーと、前記装填室内に装填された防虫ネットと、前記防虫ネットを前記シリンダー内に固定するロック手段と、前記ロック手段による前記防虫ネットの固定状態を解除するロック解除手段と、前記ロック解除手段による前記防虫ネットの固定状態の解除に追従して、前記防虫ネットを前記装填室の開口部から発射させる発射手段とを備えていることを特徴とする。
【００１２】
本発明の防虫ネット装置によれば、ロック解除手段により防虫ネットのシリンダー内における固定状態を解除することにより、発射手段により防虫ネットを装填室の開口部から発射させて、作業者の身体を覆うことができる。従って、蜂の襲来時に素早く対応して、蜂から身体を防護することができる。また、常時、防虫ネットで作業者の身体を覆う必要はなく、蜂の襲来時のみに装填室から防虫ネットを発射させて展開させて、作業者の身体を覆えばよいので、作業者が雑草等をかき分けながら現場に向かう場合に、作業者の負担を軽減させることができる。
【００１３】
また、本発明において、前記防虫ネットは、作業者の頭部から肩口付近までを覆う第１防護部と、作業者の肩口付近から足部までを覆う第２防護部とからなるネット本体と、前記第１防護部及び前記第２防護部を展開及び折り畳みが可能に支持する支持部材とからなり、前記第１防護部及び前記第２防護部が折り畳まれた状態で前記装填室内に装填されたこととしてもよい。
【００１４】
本発明の防虫ネット装置によれば、ネット本体の第１防護部及び第２防護部は、折り畳まれた状態で装填室内に装填され、装填室から発射されることにより、ネット本体の第１防護部及び第２防護部が展開されて、第１防護部により、作業者の頭部から肩口付近まで覆うことができ、第２防護具により、作業者の肩口付近から足部まで覆うことができるので、作業者を蜂の襲来から確実に防護することができる。
【００１５】
また、本発明において、前記支持部材は、中棒と、該中棒の先端に設けられる第１ろくろと、前記中棒の後端に設けられる第２ろくろと、前記中棒の前記第１ろくろと前記第２ろくろとの間にスライド可能に設けられる第３ろくろと、前記第１ろくろに開閉自在に設けられる複数本の親骨と、前記各親骨と前記第３ろくろとの間にそれぞれ架設される受け骨と、前記第２ろくろと前記第３ろくろとを連結するとともに、前記第３ろくろを介して前記受け骨を押し上げる移動ばねとを備え、前記親骨の外側に前記ネット本体の前記第１防護部が張り付けられていることとしてもよい。
【００１６】
本発明の防虫ネット装置によれば、移動ばねの付勢力によって第３ろくろを第１ろくろの方向に移動させることにより、受け骨が押し上げられて親骨が開かれ、ネット本体の第１防護部及び第２防護部を展開させることができる。また、移動ばねの付勢力に抗して第３ろくろと第２ろくろの方向に移動させることにより、受け骨が押し下げられて親骨が閉じられ、ネット本体の第１防護部及び第２防護部を折り畳むことができる。
【００１７】
また、本発明において、前記ロック手段は、前記第２ろくろに設けられるロック球と、前記シリンダーに設けられるとともに、前記ロック球を係合させるロック孔とを備え、前記ロック解除手段は、前記シリンダーに設けられるとともに、前記ロック球を前記ロック孔から押し出す操作釦を備えていることとしてもよい。
【００１８】
本発明の防虫ネット装置によれば、ロック手段のロック球をロック孔に係合させることにより、防虫ネットがシリンダーの装填室内に装填された状態に固定し、ロック解除手段の操作釦を操作して、ロック球をロック孔から押し出すことにより、防虫ネットのシリンダーの装填室内への固定状態を解除することができる。
【００１９】
また、本発明において、前記発射手段は、前記第２ろくろと兼用のピストンと、前記装填室内の前記ピストンと前記シリンダーの閉塞部との間に介装されて、前記第２ろくろを前記装填室の開口部の方向に付勢するばねとからなることとしてもよい。
【００２０】
本発明の防虫ネット装置によれば、発射手段のばねの付勢力によって第２ろくろとしてのピストンが押圧されることにより、防虫ネットをシリンダーの開口部から発射させることができる。
【発明の効果】
【００２１】
以上、説明したように、本発明の防虫ネット装置によれば、作業者が雑草等をかき分けながら現場に向かう場合に、作業者の負担を軽減させることができるとともに、突然の蜂の襲来に素早く対応して作業者の身体を防護し、作業者の安全を確保することができる。
【図面の簡単な説明】
【００２２】
【図１】本発明による防虫ネット装置の第１の実施の形態の全体を示した概略図であって、防虫ネットをシリンダーの装填室内に装填した状態を示した概略図である。
【図２】図１のＡ部の拡大図である。
【図３】シリンダーから防虫ネットを発射させた状態を示した概略図である。
【図４】作業者が防虫ネット装置のシリンダーの開口部を上方に向け、操作釦を操作している状態を示した説明図である。
【図５】シリンダーから防虫ネットを発射させ、防虫ネットのネット本体で作業者の身体を防護している状態を示した説明図である。
【図６】本発明による防虫ネット装置の第２の実施の形態を示した部分拡大図である。
【発明を実施するための形態】
【００２３】
以下、図面を参照しながら本発明の実施の形態について説明する。
図１〜図５には、本発明の防虫ネット装置の第１の実施の形態が示されている。本実施の形態の防虫ネット装置１は、例えば、配電線路の点検巡視や配電線事故復旧等の作業を行う際に、雑草等が生い茂った山間部等の現場を雑草等をかき分けて進む場合に、突然の蜂の襲来時に蜂から作業者の身体を守るのに有効なものである。
【００２４】
防虫ネット装置１は、図１〜図３に示すように、内部に装填室３を有するシリンダー２と、シリンダー２の装填室３内に装填される防虫ネット６と、シリンダー２の装填室３から防虫ネット６を発射させる発射手段４０とを備えている。
【００２５】
シリンダー２は、一端が開口されるとともに、他端が蓋５によって閉塞された略円筒状をなすものであって、内部に円柱状の空間である装填室３が設けられ、この装填室３内に防虫ネット６が装填されるようになっている。
【００２６】
防虫ネット６は、蜂から作業者の身体を守ることが可能な大きさの網目を有するとともに、シリンダー２の装填室３内に装填可能な大きさ、形状に折り畳み可能、かつ、シリンダー２から発射させた際に作業者の身体の全体を覆う大きさ、形状に展開可能なネット本体７と、ネット本体７を折り畳んだ状態及び展開した状態に支持する支持部材１０とから構成されている。
【００２７】
ネット本体７は、合成樹脂製のネットを材料として形成されるものであって、上端が閉塞された略筒状の第１防護部８と、第１防護部８の下端に連設される略筒状の第２防護部９とから構成されている。
【００２８】
ネット本体７の第１防護部８は、展開した際に作業者の頭部から肩口付近まで覆う大きさに形成され、第２防護部９は、展開した際に作業者の肩口付近から足部まで覆う大きさに形成され、第１防護部８と第２防護部９とによって作業者の身体の全体が覆われるようになっている（図５を参照）。
【００２９】
支持部材１０は、ジャンプ傘と同様の機構を有するものであって、中棒１１と、中棒１１の一端に固定される第１ろくろ１２と、中棒１１の他端に固定される第２ろくろ１３と、中棒１１の第１ろくろ１２と第２ろくろ１３との間にスライド自在に設けられる第３ろくろ１４と、第３ろくろ１４と第２ろくろ１３とを連結する移動ばね１５と、第１ろくろ１２から放射状に張り出るように設けられる複数本の親骨１６と、各親骨１６の長さ方向の中央部と第３ろくろ１４との間にそれぞれ架設される複数本の受け骨１８とから構成されている。
【００３０】
第１ろくろ１２、第２ろくろ１３、及び第３ろくろ１４は、円板状をなすものであって、第１ろくろ１２及び第３ろくろ１４は、シリンダー２の装填室３の内面との間に所定の間隙が形成される大きさに形成され、第２ろくろ１３は、シリンダー２の装填室３内面側をスライド可能な大きさに形成されている。なお、第２ろくろ１３は、後述する発射手段４０のピストン４２と兼用されている。
【００３１】
各親骨１６は、一端がヒンジ１７を介して第１ろくろ１２に回動自在に連結され、各受け骨１８は、一端がヒンジ１９を介して各親骨１６の長さ方向の中間部に回動自在に連結され、他端がヒンジ２０を介して第３ろくろ１４に回動自在に連結されている。
【００３２】
支持部材１０は、移動ばね１５の付勢力によって第３ろくろ１４を第２ろくろ１３から離れる方向に移動させることにより、受け骨１８によって親骨１６を押し上げて、親骨１６を中棒１１から離れる方向に放射状に開くことができ、移動ばね１５の付勢力に抗して第３ろくろ１４を第２ろくろ１３に接近する方向に移動させることより、受け骨１８によって親骨１６を押し下げて、放射状に開いていた親骨１６を中棒１１に接近する方向に閉じることができる。
【００３３】
第２ろくろ１３とシリンダー２との間には、移動ばね１５の付勢力に抗して親骨１６を閉じた状態とした支持部材１０をシリンダー２の装填室３内の所定の位置に固定するロック手段２１と、ロック手段２１による支持部材１０の固定状態を解除するロック解除手段３０とが設けられている。
【００３４】
図２に詳細に示すように、ロック手段２１は、第２ろくろ１３の表面から出没可能なボール状のロック球２２と、シリンダー２に設けられるとともに、第２ろくろ１３のロック球２２を係合させるロック孔２３とから構成されている。
【００３５】
支持部材１０を、親骨１６を閉じた状態でシリンダー２の装填室３内に装填し、第２ろくろ１３側のロック球２２をシリンダー２側のロック孔２３内に係合させることにより、支持部材１０をシリンダー２の装填室３内の所定の位置に固定することができる。
【００３６】
ロック解除手段３０は、シリンダー２に設けられるとともに、ロック孔２３内に係合されたロック球２２を第２ろくろ１３の方向に押圧可能な押棒３２と、押棒３２をシリンダー２から離れる方向に付勢するばね３３とを備えた操作釦３１とから構成されている。
【００３７】
発射手段４０は、支持部材１０の第２ろくろ１３とシリンダー２の蓋５との間に介装されるとともに、一端が第２ろくろ１３に連結され、他端が蓋５に連結されるばね４１と、ばね４１の付勢力によってシリンダー２の装填室３内を開口部の方向にスライドする第２ろくろ１３と兼用のピストン４２とから構成されている。
【００３８】
操作釦３１を操作して、ばね３３の付勢力に抗して押棒３２でロック球２２を押圧することにより、ロック球２２をロック孔２３から離脱させることができ、支持部材１０が装填室３内に固定された状態を解除することができる。これにより、発射手段４０のばね４１の付勢力がピストン４２としての第２ろくろ１３に作用し、このばね４１の付勢力によって第２ろくろ１３を装填室３の開口部の方向にスライドさせて、支持部材１０を装填室３から発射させることができる。
【００３９】
支持部材１０の親骨１６の表面側には、ネット本体７の第１防護部８がその中心部に支持部材１０の第１ろくろ１２が位置するように張り付けられ、親骨１６を開閉させることにより、親骨１６に追従してネット本体７の第１防護部８及び第２防護部９を展開したり、折り畳んだりすることができる。
【００４０】
支持部材１０の親骨１６を閉じた際に、第１防護部８は、隣接する親骨１６間に収まるように折り畳まれ、第２防護部９は、隣接する親骨１６間と第３ろくろ１４及び移動ばね１５の外周側に収まるように折り畳まれ、この状態で、支持部材１０とネット本体７とからなる防虫ネット６がシリンダー２の装填室３内に装填される。
【００４１】
そして、配電線路の点検巡視や配電線事故復旧等の作業を行う場合に、上記のように構成した防虫ネット装置１を装備し、雑草等が生い茂った山間部等の現場を雑草等をかき分けて進む際に突然蜂が襲ってきた場合には、図４に示すように、シリンダー２の開口部を上方に向けた状態で操作釦３１を操作し、シリンダー２のロック孔２３からロック球２２を離脱させて、支持部材１０の装填室３内における固定状態を解除する。
【００４２】
これにより、図３及び図５に示すように、発射手段４０のばね４１の付勢力によってピストン４２としての第２ろくろ１３がシリンダー２の装填室３内を開口部の方向にスライドし、第１ろくろ１２、親骨１６、受け骨１８、ネット本体７が装填室３の開口部から外方に発射される。これと同時に、移動ばね１５の付勢力によって第３ろくろ１４が第１ろくろ１２の方向に移動して受け骨１７を押し上げて、親骨１６が中棒１１から離れる方向に放射状に開き、親骨１６に追従してネット本体７の第１防護部８及び第２防護部９が折り畳んだ状態から略円筒状に展開される。
【００４３】
そして、この展開されたネット本体７の第１防護部８及び第２防護部９で作業者の身体の頭部から足部までの全体を覆うことにより、襲ってくる蜂から作業者の身体を防護することができ、作業者の安全を確保することができる。
【００４４】
上記のように構成した本実施の形態の防虫ネット装置１にあっては、雑草等が生い茂った山間部等の現場を雑草等をかき分けて進む場合に、常時、ネット本体７で作業者の身体を覆っておく必要はなく、突然の蜂の襲来時のみに操作釦３１を操作して、ネット本体７の第１防護部８及び第２防護部９を展開すればよいので、作業者の負担を軽減させることができる。
【００４５】
また、操作釦３１を操作することにより、素早くネット本体７の第１防護部８及び第２防護部９を展開して作業者の身体を覆うことができるので、突然の蜂の襲来時にも十分に対応することができ、突然の蜂の襲来時に作業者の安全を確実に確保することができる。
【００４６】
また、蜂の襲来の危険性が解除された後には、放射状に開いていた親骨１６を閉じて、ネット本体７の第１防護部８及び第２防護部９を折り畳んだ状態として、シリンダー２の装填室３内に装填して、ロック手段２１のロック球２２をロック孔２３に係合させることにより、防虫ネット６をシリンダー２の装填室３内に装填した状態とすることができるので、繰り返し使用することができ、装備に要する費用を削減することができる。
【００４７】
なお、上記の説明においては、発射手段４０をばね４１とピストン４２とによって構成したが、シリンダー２のピストン４２と蓋５との間に、エアソフトガンの発射源として利用される低圧の圧縮空気や難燃性の低圧ガス等を充填し、これらをピストン４２をスライドさせる圧力源として利用してもよい。
【００４８】
また、図示はしないが、上記の構成の防虫ネット装置１をヘルメットの上部に取り付け、ヘルメットを被った状態で防虫ネット装置１を操作することにより、防虫ネットを展開して作業者の身体を覆うように構成してもよい。
【００４９】
図６には、本発明による防虫ネット装置１の第２の実施の形態が示されている。本実施の形態の防虫ネット装置１は、ロック手段２１を、ピン２６を中心として回動可能なロック棒２４と、ロック棒２４をピン２６周りの図中矢印Ａ方向に付勢するばね２７と、第３ろくろ１４に設けられるとともに、ロック棒２４の先端部のフック２５を係合させるロック孔２８とによって構成するとともに、ロック解除手段３０を、ロック棒２４の後端部に一端部が巻回されるワイヤー２８と、ワイヤー２８の他端に連結されるトリガー２９とによって構成したものであって、その他の構成は前記第１の実施の形態に示すものと同様である。
【００５０】
本実施の形態においては、トリガー２９を図中矢印Ｃ方向に引いて、ワイヤー２８を引っ張ることにより、ロック棒２４がばね２７の付勢力に抗してピン２６周りに図中矢印Ｂ方向に回動し、ロック棒２４の先端のフック２５が第３ろくろ１４のロック孔２８から離脱し、支持部材１０のシリンダー２の装填室３内における固定状態が解除されることになる。
【００５１】
そして、本実施の形態においても前記第１の実施の形態と同様の作用効果を奏する。
【符号の説明】
【００５２】
１  防虫ネット装置
２  シリンダー
３  装填室
４  ばね室
５  蓋
６  防虫ネット
７  ネット本体
８  第１防護部
９  第２防護部
１０  支持部材
１１  中棒
１２  第１ろくろ
１３  第２ろくろ
１４  第３ろくろ
１５  移動ばね
１６  親骨
１７  ヒンジ
１８  受け骨
１９  ヒンジ
２０  ヒンジ
２１  ロック手段
２２  ロック球
２３  ロック孔
２４  ロック棒
２５  フック
２６  ピン
２７  ばね
２８  ロック孔
３０  ロック解除手段
３１  操作釦
３２  押棒
３３  ばね
３４  ワイヤー
３５  トリガー
４０  発射手段
４１  ばね
４２  ピストン
【図１】
2017195844.tif 000003
【図２】
2017195844.tif 000004
【図３】
2017195844.tif 000005
【図４】
2017195844.tif 000006
【図５】
2017195844.tif 000007
【図６】
2017195844.tif 000008